(57)【要約】【課題】譜面及び楽譜本毎の適切な位置で譜面を支えることができ、且つ譜面や楽譜本を演奏者がめくる際にも楽譜が見えにくくなることがなく使い易い譜面支持構造を提供すること。【解決手段】譜面の前面を支える左右一対の譜面押さえ部材１１を収納する収納溝１３ｂの底面には、譜面受け部８に沿って左右方向に移動可能な譜面押さえ部材１１の一端１１ａを挿入可能な複数の挿入孔１４ｊが並べて形成されている。このことにより、譜面押さえ部材１１の一端１１ａが複数の挿入孔１４ｊの何れかに挿入される場合には、譜面押さえ部材１１が、譜面板１０の前側に起立し、一方、譜面押さえ部材１１の一端１１ａが複数の挿入孔１４ｊの何れにも挿入されない場合には、譜面押さえ部材１１が、その一端１１ａが保持部によって収納溝１３ｂ内に保持されながら、譜面受け部８に沿って移動可能となる。【選択図】図２
2008009146.tif 000002
【特許請求の範囲】
【請求項１】
譜面の下縁を支える譜面受け部と、前記譜面受け部の後方に起立して前記譜面の後面を支える譜面板と、前記譜面板の前側に起立して前記譜面の前面を支える棒状の譜面押さえ部材と、を備える譜面支持構造であって、
前記譜面受け部に沿って形成され、前記譜面押さえ部材の一端が収納される収納溝と、
前記収納溝の長手方向に沿って前記収納溝の底面に並べて形成され、前記譜面押さえ部材の一端を挿入可能な複数の挿入孔と、
前記譜面押さえ部材の一端を前記収納溝内に保持する保持部と、
を備え、
前記譜面押さえ部材は、その一端が前記複数の挿入孔の何れかに挿入される場合には前記譜面板の前側に起立し、一方、その一端が前記複数の挿入孔に挿入されない場合にはその一端が前記保持部によって前記収納溝内に保持されながら前記譜面受け部に沿って移動可能であること
を特徴とする譜面支持構造。
【請求項２】
請求項１に記載の譜面支持構造において、
前記保持部は、前記収納溝の内部に形成されていることを特徴とする譜面支持構造。
【請求項３】
請求項２に記載の譜面支持構造において、
前記保持部は、
前記収納溝の長手方向に沿って前記収納溝の壁面に形成された案内溝と、
前記譜面押さえ部材の側面から前記案内溝の内部に向けて突出し、前記譜面押さえ部材の長手方向に沿って移動可能な突起部と、
を有することを特徴とする譜面支持構造。
【請求項４】
請求項３に記載の譜面支持構造において、
前記突起部は、前記譜面押さえ部材の側面から反対側に向けて貫通するとともに前記譜面押さえ部材の長手方向に沿う方向の寸法が大きく形成された貫通穴に棒状のシャフトを挿通させることで形成されることを特徴とする譜面支持構造。
【発明の詳細な説明】
【技術分野】
【０００１】
本発明は、ピアノやオルガンなどの鍵盤楽器の譜面支持構造に関し、特に、譜面及び楽譜本毎の適切な位置で譜面を支えることができ、且つ譜面や楽譜本を演奏者がめくる際にも楽譜が見えにくくなったりすることがなく、使い易い譜面支持構造に関する。
【背景技術】
【０００２】
従来より、ピアノやオルガンなどの鍵盤楽器には、演奏者が見易い位置に譜面を立て掛けるための譜面支持構造が設けられている。譜面支持構造は、楽器筐体の一部を構成する天板上に、譜面の下縁を支えるための譜面受け部と、この譜面受け部の後方に傾斜するように起立して譜面の後面を支えるための譜面板とを備えている。
【０００３】
また、このような譜面支持構造において、複数の譜面が綴じられた楽譜本を開いて演奏しようとする際に、楽譜本を前側から支える手段がないと譜面が捲れ上がり見えにくくなるおそれがあるので、楽譜本を前側から支えるための譜面押さえ部材を備えたものがある。例えば、譜面受け部に回動自在に支持された左右一対の譜面押さえ部材を備え、回動操作により、譜面押さえ部材を横向きに倒して譜面受け部に横向きに収納したり、譜面押さえ部材を起立させて楽譜本を前側から支えたりする譜面支持構造がある（例えば、特許文献１参照）。
【０００４】
しかしながら、特許文献１に開示された譜面支持構造によれば、左右一対の譜面押さえ部材が、譜面受け部の所定位置に支持されて、それぞれの支持部の位置を移動させることができないので、譜面及び楽譜本の種々のサイズや形状に対して、譜面及び楽譜本毎の適切な位置に支持部を移動させて譜面を支えることができず、譜面押さえ部材が楽譜に重なって楽譜が見えにくくなったり、譜面が捲れ上がって楽譜が見えにくくなったりするおそれがあった。
【０００５】
そこで、譜面受け部１０８と、譜面の後面を支える譜面板１１０と、譜面の前面を支える左右一対の譜面押さえ部材１１１と、譜面押さえ部材１１１を収納する収納溝１１３ｂと、収納溝１１３ｂに設けられ譜面押さえ部材１１１の一端を回動するように係合するとともに収納溝１１３ｂに沿ってスライドする回転軸１１２とを備える譜面支持構造が提案されている。このような譜面支持構造によれば、譜面押さえ部材１１１が、回転軸１１２を介して回動操作されることにより、横向きに倒れて前記収納溝１１３ｂ内に収納されるとともに上向きに起立して譜面を支え、且つ、回転軸１１２を介して収納溝１１３ｂに沿ってスライド操作されることにより、左右方向の位置が移動する。したがって、譜面及び楽譜本毎の適切な位置で譜面を支えることができ、楽譜が見えにくくなったりすることがなく、演奏者の利便性を向上させることができるとされている。
【特許文献１】特開２００２−２５８８３２号公報（第３〜６頁、第１〜７図）
【特許文献２】特開２００５−０１７９４６号公報（第３，４頁、第５図）
【発明の開示】
【発明が解決しようとする課題】
【０００６】
しかし、上述のような譜面支持構造においては、譜面押さえ部材１１１が回転軸１１２を中心に回転可能に構成されているため、譜面押さえ部材１１１によって押さえられて開けた状態となっている譜面や楽譜本を演奏者がめくる際に、上述の譜面押さえ部材１１１を誤って回転させてしまい、その回転した譜面押さえ部材が楽譜に重なって楽譜が見えにくくなるという問題があった。
【０００７】
本発明は、このような不具合に鑑みなされたものであり、その目的とするところは、譜面及び楽譜本毎の適切な位置で譜面を支えることができ、且つ譜面や楽譜本を演奏者がめくる際にも楽譜が見えにくくなることがなく使い易い譜面支持構造を提供することにある。
【課題を解決するための手段】
【０００８】
上記課題を解決するためになされた請求項１に係る譜面支持構造（７：この欄においては、発明に対する理解を容易にするため、必要に応じて「発明を実施するための最良の形態」欄で用いた符号を付すが、この符号によって請求の範囲を限定することを意味するものではない。）は、譜面の下縁を支える譜面受け部（８）と、前記譜面受け部の後方に起立して前記譜面の後面を支える譜面板（１０）と、前記譜面板の前側に起立して前記譜面の前面を支える棒状の譜面押さえ部材（１１）と、を備える譜面支持構造であって、前記譜面受け部に沿って形成され、前記譜面押さえ部材の一端（１１ａ）が収納される収納溝（１３ｂ）と、前記収納溝の長手方向に沿って前記収納溝の底面に並べて形成され、前記譜面押さえ部材の一端を挿入可能な複数の挿入孔（１４ｊ）と、前記譜面押さえ部材の一端を前記収納溝内に保持する保持部（１２，１５）と、を備え、前記譜面押さえ部材は、その一端が前記複数の挿入孔の何れかに挿入される場合には前記譜面板の前側に起立し、一方、その一端が前記複数の挿入孔に挿入されない場合にはその一端が前記保持部によって前記収納溝内に保持されながら前記譜面受け部に沿って移動可能であることを特徴とする。
【０００９】
このように構成された本発明の譜面支持構造によれば、譜面押さえ部材の一端が複数の挿入孔の何れかに挿入される場合には、譜面押さえ部材が、譜面板の前側に起立し、一方、譜面押さえ部材の一端が複数の挿入孔の何れにも挿入されない場合には、譜面押さえ部材が、その一端が保持部によって収納溝内に保持されながら、譜面受け部に沿って移動可能となる。このことにより、譜面押さえ部材の一端が複数の挿入孔の何れにも挿入されない状態とした譜面押さえ部材を、譜面受け部に置かれた譜面上の楽譜と重ならないよう位置まで譜面受け部に沿って移動させて、その一端を複数の挿入孔の何れかに挿入すれば、起立する譜面押さえ部材によって譜面及び楽譜本毎の適切な位置で譜面を支えることができる。また、このように起立する譜面押さえ部材については、譜面や楽譜本を演奏者がめくる際に演奏者の手が触れても回転したり傾いたりすることがなく、譜面や楽譜本を演奏者がめくる際にも楽譜が見えにくくなることがない。したがって、譜面及び楽譜本毎の適切な位置で譜面を支えることができ、且つ譜面や楽譜本を演奏者がめくる際にも楽譜が見えにくくなることがなく、譜面支持構造を演奏者にとって使い易くすることができる。
【００１０】
この場合、（イ）上述の保持部については、上述の収納溝の外部に形成されることが考えられる。
また、（ロ）上述の保持部については、上述の収納溝の内部に形成されることが考えられる（請求項２）。このように構成すれば、保持部を収納溝の内部に隠蔽することができ、上述のように保持部を収納溝の外部に形成する場合に比べてその外観を向上させることができる。
【００１１】
さらに、上述の保持部については、収納溝の長手方向に沿って収納溝の壁面に形成された案内溝（１５）と、譜面押さえ部材の側面から案内溝の内部に向けて突出し、譜面押さえ部材の長手方向に沿って移動可能な突起部（１２ａ）と、を有することが考えられる。
【００１２】
このように構成すれば、譜面押さえ部材については案内溝に沿った方向に移動可能な機構としてその構造が単純となる。
なおこの場合、上述の突起部については、譜面押さえ部材の側面から反対側に向けて貫通するとともに譜面押さえ部材の長手方向に沿う方向の寸法が大きく形成された貫通穴（１１ｄ）に棒状のシャフト（１２）を挿通させることで形成されることが考えられる（請求項４）。
【００１３】
このように構成すれば、シャフトが挿通された貫通穴を中心として譜面押さえ部材を回転させて倒すことができ、例えば譜面押さえ部材を案内溝の内部に隠蔽することが可能となる。
【発明を実施するための最良の形態】
【００１４】
以下に本発明の実施形態を図面とともに説明する。
［第一実施形態］
図１は、第一実施形態の鍵盤楽器１における譜面支持構造の構成を表す外観図である。また、図２は同譜面支持構造を構成する譜面押さえ組み立てユニットの構成を表す分解斜視図である。また、図３は同譜面押さえ組み立てユニットの組み立て後の構造を表す断面図であり、図３（ａ）は図２におけるＸ方向から見た断面図であり、図３（ｂ）は図３（ａ）におけるＡ−Ａ断面図である。
【００１５】
なお、以降、この鍵盤楽器１において、演奏部４が配置される側（演奏者から見て手前）を「前側」とし、その反対側を「後側」とする。また、鍵盤楽器１において、両脚部２に対して演奏部４が配置される側を「上側」とし、その反対側を「下側」とする。また、鍵盤楽器１において、上述の「前側」から「後側」を見た場合における左側を「左側」とし、同じく右側を「右側」とする。
【００１６】
［鍵盤楽器１の構成の説明］
図１に示すように、鍵盤楽器１は、両脚部２が取り付けられた棚板３上の前側に、鍵盤５や操作パネル６等を備えた演奏部４を有し、演奏部４の後方には、譜面を立て掛けるための譜面支持構造７が設けられた構造を有している。
【００１７】
［譜面支持構造７の構成の説明］
譜面支持構造７は、譜面の下縁を支える譜面受け部８と、譜面受け部８の後方に傾斜して起立し譜面の後面を支える譜面板１０と、譜面板１０の前側に起立して譜面の前面を支える左右一対の譜面押さえ部材１１と、譜面受け部８に沿って形成され、譜面押さえ部材１１を収納する収納溝１３ｂとを備えている。
【００１８】
また、譜面支持構造７は、図２に示すような譜面押さえ組み立てユニット２０が組み立てられて天板９の下方に装着される（図３参照）。
［譜面押さえ組み立てユニット２０の構成の説明］
この譜面押さえ組み立てユニット２０は、図２に示すように、一端側１１ａに貫通孔１１ｄを備えるとともに他端側１１ｂに譜面押部１１ｃを備えた棒状の譜面押さえ部材１１と、譜面押さえ部材１１の貫通孔１１ｄに挿通された軸状のシャフト１２と、譜面押さえ部材１１を収納するとともに、譜面押さえ部材１１及びシャフト１２を譜面受け部８に沿って左右にスライドさせるように支持し、互いに嵌合する上ケース１３および下ケース１４と、を備えている。なお、上述の譜面押さえ部材１１の貫通孔１１ｄについては、譜面押さえ部材１１の長手方向に沿って長く形成されている。
【００１９】
上ケース１３は、下方に開口した開口穴１３ａと、この開口穴１３ａに連なって上方に開口した収納溝１３ｂとを備え、開口穴１３ａから、互いに係合したシャフト１２と譜面押さえ部材１１とを挿入できるように構成されるとともに、下ケース１４を開口穴１３ａ内に嵌合できるように構成されている。また、上ケース１３は、上面の両端に一対の取り付け孔１３ｄを備え、下ケース１４に備えられた取り付け孔１４ｄと重なり合い、ネジ１７によってネジ止めされる。
【００２０】
下ケース１４は、上方に開口した開口穴１４ａと、上ケース１３に備えられた取り付け孔１３ｄと重なり合う一対の取り付け孔１４ｄを備えている。また、開口穴１４ａ内の底壁１４ｈの上面には、譜面押さえ部材１１の一端側１１ａを挿入可能な挿入孔１４ｊが所定ピッチで複数備えられている。また、この下ケース１４については、譜面押さえ部材１１が収納溝１３ｂに収納される際に、譜面押さえ部材１１の譜面押部１１ｃが下ケース１４の上面に当接し、譜面押部１１ｃの一部が収納溝１３ｂの上方に位置するように構成されている。
【００２１】
また、上述のシャフト１２は、図３（ａ）および図３（ｂ）に示すように、上ケース１３と下ケース１４との内部に収納されると、その両端部１２ａ，１２ａが、上ケース１３の開口穴１３ａ内の底壁１３ｇと下ケース１４の上面１４ｇとの間に形成された案内溝１５に挿入され、その案内溝１５に沿って左右方向にスライド自在に支持される。このことにより、シャフト１２については、案内溝１５に沿って左右方向にスライド可能に構成され、譜面押さえ部材１１については、シャフト１２を介して収納溝１３ｂに沿って左右方向にスライド可能に構成される。
【００２２】
また、上述の譜面押さえ部材１１については、上述のように貫通孔１１ｄが長孔状に形成されているので、その一端側１１ａが挿入孔１４ｊの上方に位置する際に、下方に移動させることでその一端側１１ａを挿入孔１４ｊに挿入させることが可能である。
【００２３】
以上のように構成された譜面支持構造７は、（イ）譜面押さえ部材１１の一端側１１ａを複数の挿入孔１４ｊの何れかに挿入させた場合には、譜面押さえ部材１１を起立させるとともに、収納溝１３ｂに沿って左右方向にスライドさせることが不可能となり、一方、（ロ）譜面押さえ部材１１の一端側１１ａを複数の挿入孔１４ｊに挿入されない場合には、譜面押さえ部材１１を収納溝１３ｂに沿って左右方向にスライド可能となる。なおこの場合、シャフト１２を中心にして譜面押さえ部材１１を回転させることにより、譜面押さえ部材１１を収納溝１３ｂの内部に収納することも可能である。
【００２４】
なお、シャフト１２の端部１２ａはそれぞれ特許請求の範囲における突起部に該当する。また、案内溝１５およびシャフト１２の端部１２ａは特許請求の範囲における保持部に該当する。
【００２５】
［第一実施形態の効果］
（１）このように第一実施形態の譜面支持構造７によれば、譜面の前面を支える左右一対の譜面押さえ部材１１を収納する収納溝１３ｂの底面には、譜面受け部８に沿って左右方向に移動可能な譜面押さえ部材１１の一端１１ａを挿入可能な複数の挿入孔１４ｊが並べて形成されており、譜面押さえ部材１１の一端１１ａが複数の挿入孔１４ｊの何れかに挿入される場合には、譜面押さえ部材１１が、譜面板１０の前側に起立し、一方、譜面押さえ部材１１の一端１１ａが複数の挿入孔１４ｊの何れにも挿入されない場合には、譜面押さえ部材１１が、案内溝１５に案内されるシャフト１２によってその一端１１ａが収納溝１３ｂ内に保持されながら、譜面受け部８に沿って移動可能となる。このことにより、譜面押さえ部材１１の一端１１ａが複数の挿入孔１４ｊの何れにも挿入されない状態とした譜面押さえ部材１１を、譜面受け部８に置かれた譜面上の楽譜と重ならないよう位置まで譜面受け部８に沿って移動させて、その一端１１ａを複数の挿入孔１４ｊの何れかに挿入すれば、起立する譜面押さえ部材１１によって譜面及び楽譜本毎の適切な位置で譜面を支えることができる。また、このように起立する譜面押さえ部材１１については、譜面や楽譜本を演奏者がめくる際に演奏者の手が触れても回転したり傾いたりすることがなく、譜面や楽譜本を演奏者がめくる際にも楽譜が見えにくくなることがない。したがって、譜面及び楽譜本毎の適切な位置で譜面を支えることができ、且つ譜面や楽譜本を演奏者がめくる際にも楽譜が見えにくくなることがなく、譜面支持構造７を演奏者にとって使い易くすることができる。
【００２６】
また、上述のように、譜面押さえ部材１１の一端１１ａが複数の挿入孔１４ｊの何れにも挿入されない場合には、シャフト１２を中心にして譜面押さえ部材１１を回転させることにより、譜面押さえ部材１１を収納溝１３ｂの内部に収納することも可能である。
【００２７】
また、上述の譜面押さえ部材１１については、案内溝１５に沿った方向（左右方向）に移動可能な機構としてその構造が単純となる。
（２）また、第一実施形態の譜面支持構造７によれば、保持部としての案内溝１５およびシャフト１２の端部１２ａが収納溝１３ｂの内部に形成される。このことにより、案内溝１５およびシャフト１２の端部１２ａを収納溝１３ｂの内部に隠蔽することができ、これら案内溝１５およびシャフト１２の端部１２ａを収納溝１３ｂの外部に形成する場合に比べてその外観を向上させることができる。
【００２８】
［他の実施形態］
以上、本発明の一実施形態について説明したが、本発明は上記実施形態に限定されるものではなく、以下のような様々な態様にて実施することが可能である。
【００２９】
（１）上記実施形態では、保持部としての案内溝１５およびシャフト１２の端部１２ａが収納溝１３ｂの内部に形成されるが、これには限られず、このような保持部を形成する構成を収納溝１３ｂの外部に形成してもよい。
【図面の簡単な説明】
【００３０】
【図１】第一実施形態の鍵盤楽器における譜面支持構造の構成を表す外観図である。
【図２】同譜面支持構造を構成する譜面押さえ組み立てユニットの構成を表す分解斜視図である。
【図３】同譜面押さえ組み立てユニットの組み立て後の構造を表す断面図であり、（ａ）は図２におけるＸ方向から見た断面図であり、（ｂ）は（ａ）におけるＡ−Ａ断面図である。
【符号の説明】
【００３１】
１…鍵盤楽器、２…両脚部、４…演奏部、５…鍵盤、６…操作パネル、７…譜面支持構造、８…譜面受け部、９…天板、１０…譜面板、１１…譜面押さえ部材、１１ａ…譜面押さえ部材の一端、１１ｂ…譜面押さえ部材の他端側、１１ｃ…譜面押部、１１ｄ…貫通孔、
１２…シャフト、１２ａ…シャフトの端部、１３…上ケース、１３ａ…開口穴、１３ｂ…収納溝、１３ｄ…取り付け孔、１３ｇ…底壁、１４…下ケース、１４ａ…開口穴、１４ｄ…取り付け孔、１４ｇ…上面、１４ｈ…底壁、１４ｊ…挿入孔、１５…案内溝、１７…ネジ、２０…譜面押さえ組み立てユニット
【図１】
2008009146.tif 000003
【図２】
2008009146.tif 000004
【図３】
2008009146.tif 000005